(57)【要約】【課題】本考案のマスクは、立体的で口や鼻を覆った状態で息苦しくなく、また使用していないときには平坦な状態となる。【解決手段】被覆シート２は右側の半シート３の突形状の先端縁３２と左側の半シート４の突形状の先端縁４２とを接合線５で接合したものであり、半シート３の基端縁３１には伸縮性の係止シート部６が接合され、半シート４の基端縁４１には伸縮性の係止シート部７が接合されている。両係止シート部６，７には、耳に掛ける開口部６２，７２が形成されている。【選択図】  図４
0003108216.tif 000002
【実用新案登録請求の範囲】
【請求項１】
顔面の口および鼻を覆う被覆シート部と、この被覆シート部の左右両側からそれぞれ後方へ延びる係止シート部とを有し、前記係止シート部に、耳に掛ける開口部が形成されており、
前記被覆シート部は、通気性を有して、顔面に当てたときに前方に膨らむ立体形状とすることが可能であり、前記係止シート部が伸縮自在であることを特徴とするマスク。
【請求項２】
前記被覆シート部は、２枚の半シートから成り、それぞれの半シートの基端縁から前記係止シート部が延び、前記半シートの先端縁どうしが互いに接合されており、使用前の状態では、両半シートが互いに対面し、両係止シート部が互いに対面して平坦状とされている請求項１記載のマスク。
【請求項３】
前記両半シートの先端縁は、突形状である請求項２記載のマスク。
【請求項４】
前記両半シートの上縁は前方へ向うにしたがって上方へ向く凹曲線形状である請求項２または３記載のマスク。
【請求項５】
前記被覆シート部と前記係止シート部とが互いに別体のシートで形成されて両シート部が接合されており、前記係止シート部が伸縮性である請求項１ないし４のいずれかに記載のマスク。
【請求項６】
前記被覆シート部とそれぞれの前記係止シート部とが、伸縮性の不織布により一体に形成されている請求項１ないし４のいずれかに記載のマスク。
【請求項７】
前記被覆シート部の内側に非伸縮性の不織布が重ねられて接合されている請求項６記載のマスク。
【請求項８】
前記係止シート部に線状の切込みを形成することにより、耳に掛ける前記開口部が形成されている請求項１ないし７のいずれかに記載のマスク。
【考案の詳細な説明】
【技術分野】
【０００１】
本発明は、外出時に装着したり、または医療用などとしても使用できる使い捨てが可能なマスクに関する。
【背景技術】
【０００２】
従来の衛生用マスクは、布とガーゼとで四角状に形成された被覆シートと、この被覆シートの左右両側縁に取り付けられたリング状のゴム紐とで形成されたものが一般的である。
【０００３】
また、医療用マスクや、粉塵のある環境で使用される作業用のマスクとして、ブラスチック材料や硬質の紙材で形成されたカップ形状の被覆部の両側にリング状のゴム紐が取り付けられたものもある。
【０００４】
前記マスクは、いずれも左右両側にリング状のゴム紐が設けられ、被覆シートまたは被覆部を顔面に装着した状態で、前記ゴム紐を耳に掛けることで顔面からの脱落を防止している。しかし、ゴム紐を耳に掛ける構造では、ゴム紐の弾性力が耳に作用し、耳に違和感を与え、さらには痛みを与えやすい。
【０００５】
また、前記四角状の被覆シートを用いた一般的なマスクは、被覆シートが平坦な形状でそれ自体が立体的でないため、顔面に装着したときに息苦しい欠点がある。前記医療用マスクや作業用マスクは、カップ状の被覆部を用いたものであるため、顔面から外したときに立体的な形態であり、保管の場所を要し、また携帯するのに適さない。
【考案の開示】
【考案が解決しようとする課題】
【０００６】
本考案は、前記従来の課題を解決するものであり、顔面に装着しやすく、また耳に掛けたときに違和感や痛みを与え難く、さらに平坦な状態で保管や携帯ができるマスクを提供することを目的としている。
【課題を解決するための手段】
【０００７】
本考案は、顔面の口および鼻を覆う被覆シート部と、この被覆シート部の左右両側からそれぞれ後方へ延びる係止シート部とを有し、前記係止シート部に、耳に掛ける開口部が形成されており、
前記被覆シート部は、通気性を有して、顔面に当てたときに前方に膨らむ立体形状とすることが可能であり、前記係止シート部が伸縮自在であることを特徴とするものである。
【０００８】
また、本考案は、前記被覆シート部は、２枚の半シートから成り、それぞれの半シートの基端縁から前記係止シート部が延び、前記半シートの先端縁どうしが互いに接合されており、使用前の状態では、両半シートが互いに対面し、両係止シート部が互いに対面して平坦状とされているものである。
【０００９】
前記において、前記両半シートの先端縁は、突形状である。
また、前記両半シートの上縁は前方へ向うにしたがって上方へ向く凹曲線形状である。
【００１０】
前記被覆シート部と前記係止シート部とが互いに別体のシートで形成されて両シート部が接合されており、前記係止シート部が伸縮性である。
【００１１】
あるいは、本考案のマスクは、前記被覆シート部とそれぞれの前記係止シート部とが、伸縮性の不織布により一体に形成されているものである。
【００１２】
この場合に、前記被覆シート部の内側に非伸縮性の不織布が重ねられて接合されているものが好ましい。
【００１３】
さらに本考案は、前記係止シート部に線状の切込みを形成することにより、耳に掛ける前記開口部が形成されているものである。
【考案の効果】
【００１４】
本考案のマスクは、口と鼻を立体的に覆うことができ、息苦しくない。また顔面から外したときに平坦な状態となるため、保管や携帯が容易である。また、伸縮性の不織布が耳に掛けられるため、耳に違和感や痛みを与え難い。また、使用後には、マスク１を図１ないし図３に示す平坦な状態で廃棄できるため、廃棄も容易である。
【考案を実施するための最良の形態】
【００１５】
図１は本考案の実施の形態のマスクを、顔面に装着していない状態で示す右側面図、図２は顔面に装着していない状態の前記マスクの左側面図、図３は顔面に装着していない状態の前記マスクの平面図、図４は顔面に装着できるように広げた状態の前記マスクを示す斜視図である。
【００１６】
図４に示すように、本考案の実施の形態となるマスク１は、顔面に装着される被覆シート部２を有している。この被覆シート部２は、右側の半シート３と左側の半シート４とを連結して形成されている。
【００１７】
図１に示すように、右側の半シート３は、ほぼ直線状の基端縁３１と、図示左方向へ向けて突曲線状に形成された先端縁３２と、ほぼ直線状の下縁３３と、上方に凹側が向けられる凹曲線形状の上縁３４とを有している。図２に示すように、左側の半シート４は、ほぼ直線状の基端縁４１と、図示右方向へ向けて突曲線状に形成された先端縁４２と、ほぼ直線状の下縁４３と、上方に凹側が向けられる凹曲線形状の上縁４４とを有している。前記上縁３４と４４は、前方へ向かうにしたがって上方へ向く凹曲線形状である。
【００１８】
前記右側の半シート３と左側の半シート４は、面対称形状である。前記半シート３と半シート４とが対面し、基端縁３１と基端縁４１とが一致し、先端縁３２と先端縁４２、下縁３３と下縁４３、および上縁３４と上縁４４とが一致するように重ねられている。この状態で、前記先端縁３２と先端縁４２のわずかに内側で両先端縁３２と４２に沿う接合線５によって、半シート３と半シート４とが互いに接合されている。
【００１９】
半シート３と半シート４は、熱可塑性の合成樹脂繊維で形成され、または前記合成樹脂繊維と天然繊維とで形成された不織布であり、通気性が有り、細かな埃や花粉などを遮断できるようになっている。前記半シート３と半シート４は、メルトブローン法で製造された不織布、メルトブローン法で製造された不織布とスパンボンド法で形成された不織布とが積層された積層不織布、またはスパンレース法で製造された不織布などで形成されている。
【００２０】
前記接合線５において、半シート３を構成する熱可塑性の合成樹脂繊維と、半シート４を構成する熱可塑性の合成樹脂繊維とが溶融されて溶接されている。この溶融は、熱シール手段や超音波シール手段によって実行される。
【００２１】
図１に示すように、前記右側の半シート３の基端縁３１には、係止シート部６が連結されている。この係止シート部６の前縁６１は、前記基端縁３１よりもやや前方において、半シート３の内側に重ねられている。前記半シート３と前記係止シート部６は、その重なり部分が熱シール手段や超音波シール手段で溶接されて連結されている。図２に示すように、左側の半シート４の基端縁４１には係止シート部７が連結されている。係止シート部７の前縁７１は、前記基端縁４１よりも前方において半シート４の内側に重ねられ、半シート４と係止シート部７とが溶接されている。
【００２２】
前記係止シート部６には、耳に掛けるためのスリット状の開口部６２が形成され、前記係止シート部７にも、耳に掛けるためのスリット状の開口部７２が形成されている。この開口部７２は、掛止シート部６に線状の切込みが形成されたものである。
【００２３】
前記係止シート部６と係止シート部７は、面対称形状である。係止シート部６と係止シート部７は、共に伸縮性の不織布で形成されている。この伸縮性の不織布は、熱により倦縮させた合成樹脂繊維、それ自体が弾性伸縮性を有するポリウレタンなどの合成樹脂繊維を用い、これら繊維を熱風で接合させたものである。
【００２４】
前記マスク１は、使用前の状態、または携帯している状態では、図１と図２および図３に示すような平坦な形状である。すなわち、半シート３と半シート４が、その全ての縁部が互いに一致するように且つ面どうしが接触するように重ねられ、係止シート部６と係止シート部７も、その全ての縁部が互いに一致するように且つ面どうしが接触するように重ねられる。
【００２５】
前記のような平坦な状態でパッケージに収納され、または携帯できるため、保管や形態のために大きなスペースが不要である。
【００２６】
図４は、前記マスク１を顔面に装着するために立体形状とした状態を示している。
図１ないし図３に示す平坦な状態のマスク１を使用するときには、左右の係止シート部６と係止シート部７を互いに離れる方向へ引き離す。半シート３と半シート４は、突曲線形状の先端縁３２と先端縁４２とが互いに重ねられて、平面が合わせられた状態で接合線５により溶接されている。そのため、係止シート部６と係止シート部７を互いに離すのに伴って、半シート３の基端縁３１と半シート４の基端縁４１とを互いに離すと、半シート３と半シート４とで構成される前記被覆シート部２は、接合線５の部分が前方に向けて突出する立体形状となる。
【００２７】
被覆シート部２で、顔面の鼻と口とを覆った状態で、係止シート部６の開口部６２と、係止シート部７の開口部７２を耳に掛けることにより、被覆シート部２が顔面から離脱するのを防止できる。
【００２８】
被覆シート部２が前方へ突形状の立体となるため、口と鼻腔に被覆シート部が直接に接触しにくくなって、息苦しくなるのを防止しやすい。また、半シート３の先端縁３２と、半シート４の先端縁４２とが共に前方に突出する突曲線形状であり、半シート３の上縁３４と半シート４の上縁４４が、共に前方へ向うにしたがって上方へ向く凹曲線形状である。そのため、前縁縁３２と前縁縁４２とが顎から鼻の上にかけて隙間なく当接しやすい。また、図１と図２および図４に示す前部上方の領域Ａが鼻の上を確実に覆うようになる。さらに、前記上縁３４と上縁４４とが頬に隙間無く当接しやすい。
【００２９】
このようにして、被覆シート部２が口と鼻を覆うため、細かな埃や花粉などが口や鼻へ到達しにくくなる。
【００３０】
また、係止シート部６と７が伸縮性の不織布で形成されているため、開口部６２と７２を耳に掛けたときに、耳に違和感を与えず、また痛みも与え難い。
【００３１】
なお、本考案は、前記実施の形態に限られるものではなく、以下に述べる構造であってもよい。
【００３２】
すなわち、前記マスク１は、被覆シート部２および、この被覆シート部２の両側から延びる係止シート部６と係止シート部７とを、同一の伸縮性の不織布で一体的に形成することが可能である。この場合も、２つに折り畳んで平坦状にしたときの形状が図１ないし図３と同じであり、また顔面に装着する際の立体形状は図４と同じである。
【００３３】
また、マスク１の全体を伸縮性の不織布で一体に形成する場合、前記被覆シート部２の内側に非伸縮性の不織布が重ねられて、前記被覆シート部２において、伸縮性の不織布と非伸縮性の不織布とが接合されていることが好ましい。
【００３４】
このような構造では、被覆シート部２および係止シート部６および係止シート部７を、伸縮性の不織布で一体に形成したとしても、前記被覆シート部２の伸縮を抑制でき、被覆シート部２が、顔面に装着したときに不用意に変形したり位置ずれするのを防止できる。また、係止シート部６，７は伸縮性となり、開口部６２，７２を耳に掛けることにより、マスク１の顔面からの脱落を防止できるようになる。
【図面の簡単な説明】
【００３５】
【図１】本考案の第１の実施の形態のマスクを、顔面から外して平坦な状態としたときの右側面図、
【図２】顔面から外したマスクを平坦な状態としたときの左側面図、
【図３】顔面から外したマスクを平坦な状態としたときの平面図、
【図４】マスクを立体形状としたときの斜視図、
【符号の説明】
【００３６】
１  マスク
２  被覆シート
３，４  半シート
５  接合線
６，７  係止シート部
６２，７２  開口部
【図１】
0003108216.tif 000003
【図２】
0003108216.tif 000004
【図３】
0003108216.tif 000005
【図４】
0003108216.tif 000006